(57)【要約】【課題】本発明は省エネルギー型のプラスチック顆粒快速乾燥システムを開示した。【解決手段】乾燥箱を含み、前記乾燥箱の中には伝動チャンバが設けられ、前記伝動チャンバの右端壁の中には駆動チャンバが設けられ、前記乾燥箱の左側にはプラスチック顆粒を遠心力で乾燥させることができる旋転機構が設けられ、前記旋転機構は旋転ブロックと旋転軸とを含み、前記旋転軸の右端が前記駆動チャンバの中に位置し、前記旋転軸の左端が前記旋転ブロックと連結され、前記駆動チャンバの下側にはプラスチック顆粒に残った水分を風力で乾かす風吹き機構が設けられ、前記駆動チャンバの中には装置全体に動力を提供する駆動機構が設けられ、前記駆動機構は装置を段取りに制御し作動させることができ、前記駆動機構はモーターと駆動軸とを含む。【選択図】図１
2020204452.tif 000002
【特許請求の範囲】
【請求項１】
正面視で、乾燥箱を含み、前記乾燥箱の中には伝動チャンバが設けられ、前記伝動チャンバの右端壁の中には駆動チャンバが設けられ、前記乾燥箱の左側にはプラスチック顆粒を遠心力で乾燥させることができる旋転機構が設けられ、前記旋転機構は旋転ブロックと旋転軸とを含み、前記旋転軸の右端が前記駆動チャンバの中に位置し、前記旋転軸の左端が前記旋転ブロックと連結され、前記駆動チャンバの下側にはプラスチック顆粒に残った水分を風力で乾かす風吹き機構が設けられ、
前記駆動チャンバの中には装置全体に動力を提供する駆動機構が設けられ、前記駆動機構は装置を段取りに制御し作動させることができ、前記駆動機構はモーターと駆動軸とを含み、前記駆動軸が前記モーターと伝動できるように連結され、前記駆動軸には駆動ブロックが平キーによって連結され、前記駆動ブロックには第一摩擦輪と回転歯車とが固定され、前記駆動ブロックにはリールがスライドできるように連結され、前記リールにはロープが巻き付いており、前記駆動チャンバの右端壁には左端が前記第一摩擦輪と接触する伸縮バネが固定され、前記駆動チャンバの左側には電磁石が設けられ、前記駆動チャンバの上端壁には下方に開口した位置制限チャンバが設けられ、前記位置制限チャンバの上端壁が前記ロープの上端に貫通されており、前記位置制限チャンバの左右端壁にはいずれも固定ロッドが固定され、前記位置制限チャンバの中に位置した前記ロープの中には前記ロープを貫通した貫通穴が設けられ、前記駆動チャンバの右端壁には回転軸が回転できるように連結され、前記回転軸の左端には第二摩擦輪と第一プーリーとが固定され、前記駆動チャンバの下端壁には台形ブロックと摩擦ブロックとがスライドできるように連結され、前記摩擦ブロックが前記台形ブロックの斜面と当接しており、前記摩擦ブロックの後端には右端が前記駆動チャンバの後端壁と連結された圧縮バネが固定され、前記台形ブロックの左端には左端が伝動チャンバの中に位置した連結ロッドが固定され、前記台形ブロックの左端には二つの復帰バネが固定され、前記旋転軸の右端には前記回転歯車と噛み合うことができる旋転歯車が固定され、装置は前記旋転機構によりプラスチック顆粒に付いた水のほとんどを飛ばし、そして前記駆動機構の制御により熱風で残った水分を乾かし、乾燥速度を上げ、エネルギーを節約し、
前記伝動チャンバの上側には前記旋転ブロックの中にプラスチック顆粒を加えることができる昇降機構が設けられていることを特徴とする省エネルギー型のプラスチック顆粒快速乾燥システム。
【請求項２】
前記旋転機構は前記旋転ブロックの中に位置した旋転チャンバを含み、前記旋転チャンバの上下端壁の中にはいずれも外部空間に連通した排水穴が設けられ、前記旋転チャンバの左端壁には前記電磁ブロックを制御するセンサーが嵌設され、前記旋転チャンバの上端壁の中には外部空間を連通した入れ口が設けられ、前記旋転チャンバの上端壁の中には前記入れ口を貫通し、且つ前記旋転チャンバに連通した回転チャンバが設けられ、前記回転チャンバの前後端壁の間には従動軸が回転できるように連結され、前記従動軸には前記入れ口を閉鎖できる閉鎖板が回転できるように連結され、前記閉鎖板の右端には前記回転チャンバの上端壁と連結された位置制限バネが固定され、前記旋転チャンバの右端壁には外部空間に連通した出し口が設けられ、前記出し口の上下端壁の中にはいずれも前記出し口を連通したバネ溝が設けられ、前記旋転チャンバの右端壁の中には右方に開口した環状チャンバが設けられ、前記バネ溝の中には遮断板と前記遮断板を復帰させることができる連結バネとが設けられ、前記遮断板の一端が前記出し口の中に位置し、前記環状チャンバの中には環状ブロックと前記環状ブロックを復帰させることができる二つの引っ張りバネとが設けられ、前記環状ブロックの右端が外部空間に位置し、前記環状ブロックの左端には前記バネ溝の片側端壁を貫通し、且つ前記遮断板と連結されたチェーンが二本固定されていることを特徴とする請求項１に記載の省エネルギー型のプラスチック顆粒快速乾燥システム。
【請求項３】
前記風吹き機構は通風チャンバを含み、前記通風チャンバの上端壁には支持板が固定され、前記支持板の下端にはファン軸が回転できるように連結され、前記ファン軸には羽根と第二プーリーとが固定され、前記第一プーリーと前記第二プーリーとがベルトによって連結され、前記通風チャンバの下端壁の中には外部空間と前記伝動チャンバとを連通した連結穴が設けられ、前記伝動チャンバの中には前記環状ブロックと当接した連結パイプが設けられ、前記連結パイプの左端が外部空間に位置し、前記連結パイプの右端が前記連結穴を貫通し、且つ外部空間に位置し、前記伝動チャンバの左端壁には外部空間に連通した排風口が設けられ、前記伝動チャンバの中には前記連結パイプに貫通された支持ブロックが設けられ、前記支持ブロックが前記連結パイプを支持していることを特徴とする請求項１または請求項２に記載の省エネルギー型のプラスチック顆粒快速乾燥システム。
【請求項４】
前記駆動機構は電熱ロッドを含み、前記電熱ロッドが前記伝動チャンバの中に位置し、且つ前記旋転軸に貫通されており、前記連結ロッドの左端が前記電熱ロッドと固定的に連結され、前記電熱ロッドの下端が前記支持ブロックの右側に位置していることを特徴とする請求項１または請求項３に記載の省エネルギー型のプラスチック顆粒快速乾燥システム。
【請求項５】
前記昇降機構は漏斗を含み、前記伝動チャンバの左端壁には外部空間に連通した昇降溝が設けられ、前記伝動チャンバの中には左端が前記昇降溝を貫通した昇降ロッドが設けられ、前記昇降ロッドが外部空間に位置し、前記昇降ロッドの左端が前記漏斗の下端に貫通されており、前記昇降ロッドの右端には上端が前記伝動チャンバの上端壁と連結された昇降バネが二つ固定され、前記ロープの上端が前記伝動チャンバの右端壁を貫通しており、且つ前記昇降ロッドと連結されていることを特徴とする請求項１に記載の省エネルギー型のプラスチック顆粒快速乾燥システム。
【請求項６】
前記連結パイプの壁には風を流通させることができる穴が設けられていることを特徴とする請求項１に記載の省エネルギー型のプラスチック顆粒快速乾燥システム。
【請求項７】
前記引っ張りバネの弾力は前記連結バネの弾力と、前記支持ブロックと前記伝動チャンバとの間の摩擦力との和より遥か大きいことを特徴とする請求項１または請求項２または請求項３に記載の省エネルギー型のプラスチック顆粒快速乾燥システム。
【請求項８】
前記第一摩擦輪と前記第二摩擦輪との間の摩擦力は前記圧縮バネの弾力と、前記復帰バネの弾力と、前記第二摩擦輪と前記摩擦ブロックとの間の摩擦力との和より遥か大きく、前記復帰バネの弾力は前記第二摩擦輪と前記摩擦ブロックとの間の摩擦力より遥か大きいことを特徴とする請求項１に記載の省エネルギー型のプラスチック顆粒快速乾燥システム。
【発明の詳細な説明】
【技術分野】
【０００１】
本発明は省エネルギー分野を取り上げて、具体的には省エネルギー型のプラスチック顆粒快速乾燥システムである。
【背景技術】
【０００２】
プラスチックを回収し再利用することは持続可能な発展に重要な役割を果たし、プラスチックは普通回収された後に、粉砕と、洗浄と、乾燥とが行われ、プラスチック顆粒乾燥機はプラスチック生産の中に欠かせない設備であり、プラスチック顆粒乾燥機の作用はプラスチック顆粒の表面の水分を乾かし、加工に求められた質に達せることである。
現段階では、プラスチック顆粒の乾燥作業はほとんどプラスチック顆粒を乾燥機の中に置き、集めて電熱で乾かす方法を選び、それでは、エネルギーを浪費し、また、大量のプラスチック顆粒が積められるため、乾燥の効果が高くなく、水分がまだ残る。
【先行技術文献】
【特許文献】
【０００３】
【特許文献１】中国特許出願公開第１０６５１４８９９号明細書
【発明の概要】
【発明が解決しようとする課題】
【０００４】
本発明の目的は省エネルギー型のプラスチック顆粒快速乾燥システムを提供し、それは上記の現在の技術中の問題を解決できる。
【課題を解決するための手段】
【０００５】
上記の課題を解決するため、本発明は以下の技術プランを採用する：本発明の省エネルギー型のプラスチック顆粒快速乾燥システムは、乾燥箱を含み、前記乾燥箱の中には伝動チャンバが設けられ、前記伝動チャンバの右端壁の中には駆動チャンバが設けられ、前記乾燥箱の左側にはプラスチック顆粒を遠心力で乾燥させることができる旋転機構が設けられ、前記旋転機構は旋転ブロックと旋転軸とを含み、前記旋転軸の右端が前記駆動チャンバの中に位置し、前記旋転軸の左端が前記旋転ブロックと連結され、前記駆動チャンバの下側にはプラスチック顆粒に残った水分を風力で乾かす風吹き機構が設けられ、
前記駆動チャンバの中には装置全体に動力を提供する駆動機構が設けられ、前記駆動機構は装置を段取りに制御し作動させることができ、前記駆動機構はモーターと駆動軸とを含み、前記駆動軸が前記モーターと伝動できるように連結され、前記駆動軸には駆動ブロックが平キーによって連結され、前記駆動ブロックには第一摩擦輪と回転歯車とが固定され、前記駆動ブロックにはリールがスライドできるように連結され、前記リールにはロープが巻き付いており、前記駆動チャンバの右端壁には左端が前記第一摩擦輪と接触する伸縮バネが固定され、前記駆動チャンバの左側には電磁石が設けられ、前記駆動チャンバの上端壁には下方に開口した位置制限チャンバが設けられ、前記位置制限チャンバの上端壁が前記ロープの上端に貫通されており、前記位置制限チャンバの左右端壁にはいずれも固定ロッドが固定され、前記位置制限チャンバの中に位置した前記ロープの中には前記ロープを貫通した貫通穴が設けられ、前記駆動チャンバの右端壁には回転軸が回転できるように連結され、前記回転軸の左端には第二摩擦輪と第一プーリーとが固定され、前記駆動チャンバの下端壁には台形ブロックと摩擦ブロックとがスライドできるように連結され、前記摩擦ブロックが前記台形ブロックの斜面と当接しており、前記摩擦ブロックの後端には右端が前記駆動チャンバの後端壁と連結された圧縮バネが固定され、前記台形ブロックの左端には左端が伝動チャンバの中に位置した連結ロッドが固定され、前記台形ブロックの左端には二つの復帰バネが固定され、前記旋転軸の右端には前記回転歯車と噛み合うことができる旋転歯車が固定され、装置は前記旋転機構によりプラスチック顆粒に付いた水のほとんどを飛ばし、そして前記駆動機構の制御により熱風で残った水分を乾かし、乾燥速度を上げ、エネルギーを節約し、
前記伝動チャンバの上側には前記旋転ブロックの中にプラスチック顆粒を加えることができる昇降機構が設けられている。
【０００６】
更の技術プラン、前記旋転機構は前記旋転ブロックの中に位置した旋転チャンバを含み、前記旋転チャンバの上下端壁の中にはいずれも外部空間に連通した排水穴が設けられ、前記旋転チャンバの左端壁には前記電磁ブロックを制御するセンサーが嵌設され、前記旋転チャンバの上端壁の中には外部空間を連通した入れ口が設けられ、前記旋転チャンバの上端壁の中には前記入れ口を貫通し、且つ前記旋転チャンバに連通した回転チャンバが設けられ、前記回転チャンバの前後端壁の間には従動軸が回転できるように連結され、前記従動軸には前記入れ口を閉鎖できる閉鎖板が回転できるように連結され、前記閉鎖板の右端には前記回転チャンバの上端壁と連結された位置制限バネが固定され、前記旋転チャンバの右端壁には外部空間に連通した出し口が設けられ、前記出し口の上下端壁の中にはいずれも前記出し口を連通したバネ溝が設けられ、前記旋転チャンバの右端壁の中には右方に開口した環状チャンバが設けられ、前記バネ溝の中には遮断板と前記遮断板を復帰させることができる連結バネとが設けられ、前記遮断板の一端が前記出し口の中に位置し、前記環状チャンバの中には環状ブロックと前記環状ブロックを復帰させることができる二つの引っ張りバネとが設けられ、前記環状ブロックの右端が外部空間に位置し、前記環状ブロックの左端には前記バネ溝の片側端壁を貫通し、且つ前記遮断板と連結されたチェーンが二本固定されている。
【０００７】
更の技術プラン、前記風吹き機構は通風チャンバを含み、前記通風チャンバの上端壁には支持板が固定され、前記支持板の下端にはファン軸が回転できるように連結され、前記ファン軸には羽根と第二プーリーとが固定され、前記第一プーリーと前記第二プーリーとがベルトによって連結され、前記通風チャンバの下端壁の中には外部空間と前記伝動チャンバとを連通した連結穴が設けられ、前記伝動チャンバの中には前記環状ブロックと当接した連結パイプが設けられ、前記連結パイプの左端が外部空間に位置し、前記連結パイプの右端が前記連結穴を貫通し、且つ外部空間に位置し、前記伝動チャンバの左端壁には外部空間に連通した排風口が設けられ、前記伝動チャンバの中には前記連結パイプに貫通された支持ブロックが設けられ、前記支持ブロックが前記連結パイプを支持している。
【０００８】
更の技術プラン、前記駆動機構は電熱ロッドを含み、前記電熱ロッドが前記伝動チャンバの中に位置し、且つ前記旋転軸に貫通されており、前記連結ロッドの左端が前記電熱ロッドと固定的に連結され、前記電熱ロッドの下端が前記支持ブロックの右側に位置している。
【０００９】
更の技術プラン、前記昇降機構は漏斗を含み、前記伝動チャンバの左端壁には外部空間に連通した昇降溝が設けられ、前記伝動チャンバの中には左端が前記昇降溝を貫通した昇降ロッドが設けられ、前記昇降ロッドが外部空間に位置し、前記昇降ロッドの左端が前記漏斗の下端に貫通されており、前記昇降ロッドの右端には上端が前記伝動チャンバの上端壁と連結された昇降バネが二つ固定され、前記ロープの上端が前記伝動チャンバの右端壁を貫通しており、且つ前記昇降ロッドと連結されている。
【００１０】
更の技術プラン、前記連結パイプの壁には風を流通させることができる穴が設けられている。
【００１１】
更の技術プラン、前記引っ張りバネの弾力は前記連結バネの弾力と、前記支持ブロックと前記伝動チャンバとの間の摩擦力との和より遥か大きい。
【００１２】
更の技術プラン、前記第一摩擦輪と前記第二摩擦輪との間の摩擦力は前記圧縮バネの弾力と、前記復帰バネの弾力と、前記第二摩擦輪と前記摩擦ブロックとの間の摩擦力との和より遥か大きく、前記復帰バネの弾力は前記第二摩擦輪と前記摩擦ブロックとの間の摩擦力より遥か大きい。
【発明の効果】
【００１３】
当該装置は構造が簡単で、操作が便利であり、装置はまず遠心力でプラスチック顆粒に付いたほとんどの水を取り除き、そしてプラスチック顆粒を排出することと同時に熱風で乾かし、持続的な電熱で行う乾燥によるエネルギー浪費を防ぎ、機械の伝動によりプラスチック顆粒の乾燥効率と乾燥の効果とを向上させた。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の構成略図
【図２】図２は本発明の旋転機構の部分断面の正面拡大構成略図
【図３】図３は本発明の駆動チャンバの全体断面の上面拡大構成略図
【図４】図４は本発明の位置制限チャンバの中のロープの全体断面の左面拡大構成略図
【発明を実施するための形態】
【００１６】
図１〜４を参照し、本発明の省エネルギー型のプラスチック顆粒快速乾燥システムは、乾燥箱１を含み、前記乾燥箱１の中には伝動チャンバ４１が設けられ、前記伝動チャンバ４１の右端壁の中には駆動チャンバ２７が設けられ、前記乾燥箱１の左側にはプラスチック顆粒を遠心力で乾燥させることができる旋転機構５９が設けられ、前記旋転機構５９は旋転ブロック５と旋転軸１１とを含み、前記旋転軸１１の右端が前記駆動チャンバ２７の中に位置し、前記旋転軸１１の左端が前記旋転ブロック５と連結され、前記駆動チャンバ２７の下側にはプラスチック顆粒に残った水分を風力で乾かす風吹き機構６１が設けられ、前記駆動チャンバ２７の中には装置全体に動力を提供する駆動機構５８が設けられ、前記駆動機構５８は装置を段取りに制御し作動させることができ、前記駆動機構５８はモーター２９と駆動軸３０とを含み、前記駆動軸３０が前記モーター２９と伝動できるように連結され、前記駆動軸３０には駆動ブロック２８が平キーによって連結され、前記駆動ブロック２８には第一摩擦輪３２と回転歯車３７とが固定され、前記駆動ブロック２８にはリール３３がスライドできるように連結され、前記リール３３にはロープ４０が巻き付いており、前記駆動チャンバ２７の右端壁には左端が前記第一摩擦輪３２と接触する伸縮バネ３１が固定され、前記駆動チャンバ２７の左側には電磁石３８が設けられ、前記駆動チャンバ２７の上端壁には下方に開口した位置制限チャンバ３６が設けられ、前記位置制限チャンバ３６の上端壁が前記ロープ４０の上端に貫通されており、前記位置制限チャンバ３６の左右端壁にはいずれも固定ロッド３５が固定され、前記位置制限チャンバ３６の中に位置した前記ロープ４０の中には前記ロープ４０を貫通した貫通穴３４が設けられ、前記駆動チャンバ２７の右端壁には回転軸２６が回転できるように連結され、前記回転軸２６の左端には第二摩擦輪４４と第一プーリー２５とが固定され、前記駆動チャンバ２７の下端壁には台形ブロック４７と摩擦ブロック２４とがスライドできるように連結され、前記摩擦ブロック２４が前記台形ブロック４７の斜面と当接しており、前記摩擦ブロック２４の後端には右端が前記駆動チャンバ２７の後端壁と連結された圧縮バネ５７が固定され、前記台形ブロック４７の左端には左端が伝動チャンバ４１の中に位置した連結ロッド４５が固定され、前記台形ブロック４７の左端には二つの復帰バネ４６が固定され、前記旋転軸１１の右端には前記回転歯車３７と噛み合うことができる旋転歯車４３が固定され、装置は前記旋転機構５９によりプラスチック顆粒に付いた水のほとんどを飛ばし、そして前記駆動機構５８の制御により熱風で残った水分を乾かし、乾燥速度を上げ、エネルギーを節約し、前記伝動チャンバ４１の上側には前記旋転ブロック５の中にプラスチック顆粒を加えることができる昇降機構６０が設けられている。
【００１７】
有益に、前記旋転機構５９は前記旋転ブロック５の中に位置した旋転チャンバ１４を含み、前記旋転チャンバ１４の上下端壁の中にはいずれも外部空間に連通した排水穴１３が設けられ、前記旋転チャンバ１４の左端壁には前記電磁ブロック３８を制御するセンサー１２が嵌設され、前記旋転チャンバ１４の上端壁の中には外部空間を連通した入れ口８が設けられ、前記旋転チャンバ１４の上端壁の中には前記入れ口８を貫通し、且つ前記旋転チャンバ１４に連通した回転チャンバ１０が設けられ、前記回転チャンバ１０の前後端壁の間には従動軸６が回転できるように連結され、前記従動軸６には前記入れ口８を閉鎖できる閉鎖板７が回転できるように連結され、前記閉鎖板７の右端には前記回転チャンバ１０の上端壁と連結された位置制限バネ９が固定され、前記旋転チャンバ１４の右端壁には外部空間に連通した出し口４９が設けられ、前記出し口４９の上下端壁の中にはいずれも前記出し口４９を連通したバネ溝５０が設けられ、前記旋転チャンバ１４の右端壁の中には右方に開口した環状チャンバ５４が設けられ、前記バネ溝５０の中には遮断板４８と前記遮断板４８を復帰させることができる連結バネ５１とが設けられ、前記遮断板４８の一端が前記出し口４９の中に位置し、前記環状チャンバ５４の中には環状ブロック５５と前記環状ブロック５５を復帰させることができる二つの引っ張りバネ５４とが設けられ、前記環状ブロック５５の右端が外部空間に位置し、前記環状ブロック５５の左端には前記バネ溝５０の片側端壁を貫通し、且つ前記遮断板４８と連結されたチェーン５３が二本固定されている。
【００１８】
有益に、前記風吹き機構６１は通風チャンバ１９を含み、前記通風チャンバ１９の上端壁には支持板２３が固定され、前記支持板２３の下端にはファン軸２１が回転できるように連結され、前記ファン軸２１には羽根２０と第二プーリー２２とが固定され、前記第一プーリー２５と前記第二プーリー２２とがベルト６３によって連結され、前記通風チャンバ１９の下端壁の中には外部空間と前記伝動チャンバ４１とを連通した連結穴１８が設けられ、前記伝動チャンバ４１の中には前記環状ブロック５５と当接した連結パイプ１６が設けられ、前記連結パイプ１６の左端が外部空間に位置し、前記連結パイプ１６の右端が前記連結穴１８を貫通し、且つ外部空間に位置し、前記伝動チャンバ４１の左端壁には外部空間に連通した排風口１５が設けられ、前記伝動チャンバ４１の中には前記連結パイプ１６に貫通された支持ブロック１７が設けられ、前記支持ブロック１７が前記連結パイプ１６を支持している。
【００１９】
有益に、前記駆動機構８は電熱ロッド３９を含み、前記電熱ロッド３９が前記伝動チャンバ４１の中に位置し、且つ前記旋転軸１１に貫通されており、前記連結ロッド４５の左端が前記電熱ロッド３９と固定的に連結され、前記電熱ロッド３９の下端が前記支持ブロック１７の右側に位置している。
【００２０】
有益に、前記昇降機構６０は漏斗３を含み、前記伝動チャンバ４１の左端壁には外部空間に連通した昇降溝２が設けられ、前記伝動チャンバ４１の中には左端が前記昇降溝２を貫通した昇降ロッド４が設けられ、前記昇降ロッド４が外部空間に位置し、前記昇降ロッド４の左端が前記漏斗３の下端に貫通されており、前記昇降ロッド４の右端には上端が前記伝動チャンバ４１の上端壁と連結された昇降バネ４２が二つ固定され、前記ロープ４０の上端が前記伝動チャンバ４１の右端壁を貫通しており、且つ前記昇降ロッド４と連結されている。
【００２１】
装置全体の機械作動順序は以下の通り：
【００２２】
１：モーター２９が作動し駆動軸３０を回転連動させ、これによって駆動ブロック２８と、リール３３と、回転歯車３７と、第一摩擦輪３２とを回転連動させ、これによってリール３３にロープ４０を巻かせ、これによって昇降ロッド４を降下連動させ、これによって漏斗３の下端を下へ移動連動させ、漏斗３の下端が閉鎖板７を押し、これによって閉鎖板７を回転させ、位置制限バネ９が引っ張られ、この時漏斗３によって旋転チャンバ１４の中に処理待ちのプラスチック顆粒を入れ、プラスチック顆粒を充分に入れた後、モーター２９が作動し駆動軸３０を反転連動させ、これによってリール３３が反転しロープ４０を緩め、これによって昇降ロッド４が復帰し、漏斗３を復帰させ、これによって閉鎖板７が位置制限バネ９の作用により復帰し、
２：センサー１２が旋転チャンバ１４の中のプラスチック顆粒の水分含有量を感知し、水分含有量が多い時、電磁石３８が制御され作動し回転歯車３７を右へ運動連動させ、これによって駆動ブロック２８と、リール３３と、第一摩擦輪３２とを右方へ運動連動させ、これによって回転歯車３７と旋転歯車４３とを噛合させ、同時に右側の固定ロッド３５が貫通穴３４に入りロープ４０の運動を制限し、この時モーター２９が作動し駆動軸２８を回転連動させ、これによって駆動ブロック３０と、回転歯車３７と、第一摩擦輪３２とを回転連動させ、ロープ４０が制限されているためリール３３が回転できなく、回転歯車３７が回転し旋転歯車４３を回転連動させ、これによって旋転軸１１と旋転ブロック５とを回転連動させ、これによってプラスチック顆粒の水分を飛ばし、
３：センサー１２はプラスチック顆粒の水分含有量が少ないことを感知した時、電磁石３８を制御し作動させ、電磁石３８が回転歯車３７と引き合い、これによって回転歯車３７を連動させて左方へ運動させ、これによって駆動ブロック２８と、リール３３と、第一摩擦輪３２とを左方へ運動させ、これによって左側の固定ロッド３５を貫通穴３４の中に入れ、回転歯車３７と旋転歯車４３とが離脱し、第一摩擦輪３２と第二摩擦輪４４とが接触し伝動し、モーター２９が作動し駆動軸３０を回転連動させ、これによって第一摩擦輪３２と駆動ブロック２８とを回転連動させ、これによって第二摩擦輪４４を回転連動させ、これによって回転軸２６と第一プーリー２５とを回転連動させ、第二摩擦輪４４が回転し摩擦ブロック２４を後方へ運動連動させ、圧縮バネ５７が圧縮され、これによって台形ブロック４７が左方へ運動し、復帰バネ４６が圧縮され、これによって連結ロッド４５を左方へ運動連動させ、これによって電熱ロッド３９を左方へ運動連動させ、これによって支持ブロック１７を左方へ運動連動させ、これによって連結パイプ１６を左方へ運動させ、
４：第一プーリー２５が回転しベルト６３の伝動により第二プーリー２２を回転連動させ、これによってファン軸２１を回転連動させ、これによって羽根２０を回転連動させ、風を生み、電熱ロッド３９が作動し、連結パイプ１６に吹く風を熱風に変え、
５：連結パイプ１６が左方へ運動し、これによって環状ブロック５５が連動されて左方へ運動し、引っ張りバネ５４が圧縮され、チェーン５３の伝動により遮断板４８が駆動されて出し口４９から離れ、連結バネ５１が圧縮され、これによってプラスチック顆粒が出し口４９と連結パイプ１６とを経由して外部空間に辿り、熱風が連結パイプ１６を通り抜け、プラスチック顆粒に残った水分を乾かし、
６：センサー１２は旋転チャンバ１４の中にプラスチック顆粒がないことを感知した時、電磁石３８を制御し作動させ、これによって回転歯車３７が復帰し、これによって回転歯車３７と、リール３３と、第一摩擦輪３２と、駆動ブロック２８とが復帰し、これによって固定ロッド３５が貫通穴３４から離れ、第一摩擦輪３２と第二摩擦輪５８とが復帰し、これによって摩擦ブロック３４が圧縮バネ５７の作用により復帰し、これによって台形ブロック４７が復帰バネ４６の作用により復帰し、これによって電熱ロッド３９を復帰させ、電熱ロッド３９が作動を止め、この時引っ張りバネ５４と連結バネ５１とが復帰し、これによって環状ブロック５５を復帰させ、遮断板４８が出し口４９を遮断し、環状ブロック５５が復帰し連結パイプ１６を駆動し右方へ運動させ復帰させ、この時装置は復帰を完了する。
【００２３】
以上に述べたのはただ本発明の技術構想と特徴で、本分野に詳しい技術者に本発明の内容をわからせて実施させることが目的である。本発明の保護範囲はここに限らないである。全部の創造的な労働を通じなく思いついた変化と取替は本発明の保護範囲にカバーされる。
【図１】
2020204452.tif 000003
【図２】
2020204452.tif 000004
【図３】
2020204452.tif 000005
【図４】
2020204452.tif 000006
【手続補正書】
【提出日】令和2年1月10日(2020.1.10)
【手続補正１】
【補正対象書類名】特許請求の範囲
【補正対象項目名】請求項２
【補正方法】変更
【補正の内容】
【請求項２】
前記旋転機構は前記旋転ブロックの中に位置した旋転チャンバを含み、前記旋転チャンバの上下端壁の中にはいずれも外部空間に連通した排水穴が設けられ、前記旋転チャンバの左端壁には前記電磁石を制御するセンサーが嵌設され、前記旋転チャンバの上端壁の中には外部空間を連通した入れ口が設けられ、前記旋転チャンバの上端壁の中には前記入れ口を貫通し、且つ前記旋転チャンバに連通した回転チャンバが設けられ、前記回転チャンバの前後端壁の間には従動軸が回転できるように連結され、前記従動軸には前記入れ口を閉鎖できる閉鎖板が回転できるように連結され、前記閉鎖板の右端には前記回転チャンバの上端壁と連結された位置制限バネが固定され、前記旋転チャンバの右端壁には外部空間に連通した出し口が設けられ、前記出し口の上下端壁の中にはいずれも前記出し口を連通したバネ溝が設けられ、前記旋転チャンバの右端壁の中には右方に開口した環状チャンバが設けられ、前記バネ溝の中には遮断板と前記遮断板を復帰させることができる連結バネとが設けられ、前記遮断板の一端が前記出し口の中に位置し、前記環状チャンバの中には環状ブロックと前記環状ブロックを復帰させることができる二つの引っ張りバネとが設けられ、前記環状ブロックの右端が外部空間に位置し、前記環状ブロックの左端には前記バネ溝の片側端壁を貫通し、且つ前記遮断板と連結されたチェーンが二本固定されていることを特徴とする請求項１に記載の省エネルギー型のプラスチック顆粒快速乾燥システム。
【手続補正２】
【補正対象書類名】明細書
【補正対象項目名】全文
【補正方法】変更
【補正の内容】
【発明の詳細な説明】
【技術分野】
【０００１】
本発明は省エネルギー分野を取り上げて、具体的には省エネルギー型のプラスチック顆粒快速乾燥システムである。 
【背景技術】
【０００２】
プラスチックを回収し再利用することは持続可能な発展に重要な役割を果たし、プラスチックは普通回収された後に、粉砕と、洗浄と、乾燥とが行われ、プラスチック顆粒乾燥機はプラスチック生産の中に欠かせない設備であり、プラスチック顆粒乾燥機の作用はプラスチック顆粒の表面の水分を乾かし、加工に求められた質に達せることである。現段階では、プラスチック顆粒の乾燥作業はほとんどプラスチック顆粒を乾燥機の中に置き、集めて電熱で乾かす方法を選び、それでは、エネルギーを浪費し、また、大量のプラスチック顆粒が積められるため、乾燥の効果が高くなく、水分がまだ残る。 
【先行技術文献】
【特許文献】
【０００３】
【特許文献１】中国特許出願公開第１０６５１４８９９号明細書
【発明の概要】
【発明が解決しようとする課題】
【０００４】
本発明の目的は省エネルギー型のプラスチック顆粒快速乾燥システムを提供し、それは上記の現在の技術中の問題を解決できる。 
【課題を解決するための手段】
【０００５】
上記の課題を解決するため、本発明は以下の技術プランを採用する：本発明の省エネルギー型のプラスチック顆粒快速乾燥システムは、乾燥箱を含み、前記乾燥箱の中には伝動チャンバが設けられ、前記伝動チャンバの右端壁の中には駆動チャンバが設けられ、前記乾燥箱の左側にはプラスチック顆粒を遠心力で乾燥させることができる旋転機構が設けられ、前記旋転機構は旋転ブロックと旋転軸とを含み、前記旋転軸の右端が前記駆動チャンバの中に位置し、前記旋転軸の左端が前記旋転ブロックと連結され、前記駆動チャンバの下側にはプラスチック顆粒に残った水分を風力で乾かす風吹き機構が設けられ、 
前記駆動チャンバの中には装置全体に動力を提供する駆動機構が設けられ、前記駆動機構は装置を段取りに制御し作動させることができ、前記駆動機構はモーターと駆動軸とを含み、前記駆動軸が前記モーターと伝動できるように連結され、前記駆動軸には駆動ブロックが平キーによって連結され、前記駆動ブロックには第一摩擦輪と回転歯車とが固定され、前記駆動ブロックにはリールがスライドできるように連結され、前記リールにはロープが巻き付いており、前記駆動チャンバの右端壁には左端が前記第一摩擦輪と接触する伸縮バネが固定され、前記駆動チャンバの左側には電磁石が設けられ、前記駆動チャンバの上端壁には下方に開口した位置制限チャンバが設けられ、前記位置制限チャンバの上端壁が前記ロープの上端に貫通されており、前記位置制限チャンバの左右端壁にはいずれも固定ロッドが固定され、前記位置制限チャンバの中に位置した前記ロープの中には前記ロープを貫通した貫通穴が設けられ、前記駆動チャンバの右端壁には回転軸が回転できるように連結され、前記回転軸の左端には第二摩擦輪と第一プーリーとが固定され、前記駆動チャンバの下端壁には台形ブロックと摩擦ブロックとがスライドできるように連結され、前記摩擦ブロックが前記台形ブロックの斜面と当接しており、前記摩擦ブロックの後端には右端が前記駆動チャンバの後端壁と連結された圧縮バネが固定され、前記台形ブロックの左端には左端が伝動チャンバの中に位置した連結ロッドが固定され、前記台形ブロックの左端には二つの復帰バネが固定され、前記旋転軸の右端には前記回転歯車と噛み合うことができる旋転歯車が固定され、装置は前記旋転機構によりプラスチック顆粒に付いた水のほとんどを飛ばし、そして前記駆動機構の制御により熱風で残った水分を乾かし、乾燥速度を上げ、エネルギーを節約し、 
前記伝動チャンバの上側には前記旋転ブロックの中にプラスチック顆粒を加えることができる昇降機構が設けられている。 
【０００６】
更の技術プラン、前記旋転機構は前記旋転ブロックの中に位置した旋転チャンバを含み、 
前記旋転チャンバの上下端壁の中にはいずれも外部空間に連通した排水穴が設けられ、前記旋転チャンバの左端壁には前記電磁石を制御するセンサーが嵌設され、前記旋転チャンバの上端壁の中には外部空間を連通した入れ口が設けられ、前記旋転チャンバの上端壁の中には前記入れ口を貫通し、且つ前記旋転チャンバに連通した回転チャンバが設けられ、前記回転チャンバの前後端壁の間には従動軸が回転できるように連結され、前記従動軸には前記入れ口を閉鎖できる閉鎖板が回転できるように連結され、前記閉鎖板の右端には前記回転チャンバの上端壁と連結された位置制限バネが固定され、前記旋転チャンバの右端壁には外部空間に連通した出し口が設けられ、前記出し口の上下端壁の中にはいずれも前記出し口を連通したバネ溝が設けられ、前記旋転チャンバの右端壁の中には右方に開口した環状チャンバが設けられ、前記バネ溝の中には遮断板と前記遮断板を復帰させることができる連結バネとが設けられ、前記遮断板の一端が前記出し口の中に位置し、前記環状チャンバの中には環状ブロックと前記環状ブロックを復帰させることができる二つの引っ張りバネとが設けられ、前記環状ブロックの右端が外部空間に位置し、前記環状ブロックの左端には前記バネ溝の片側端壁を貫通し、且つ前記遮断板と連結されたチェーンが二本固定されている。 
【０００７】
更の技術プラン、前記風吹き機構は通風チャンバを含み、前記通風チャンバの上端壁には支持板が固定され、前記支持板の下端にはファン軸が回転できるように連結され、前記ファン軸には羽根と第二プーリーとが固定され、前記第一プーリーと前記第二プーリーとがベルトによって連結され、前記通風チャンバの下端壁の中には外部空間と前記伝動チャンバとを連通した連結穴が設けられ、前記伝動チャンバの中には前記環状ブロックと当接した連結パイプが設けられ、前記連結パイプの左端が外部空間に位置し、前記連結パイプの右端が前記連結穴を貫通し、且つ外部空間に位置し、前記伝動チャンバの左端壁には外部空間に連通した排風口が設けられ、前記伝動チャンバの中には前記連結パイプに貫通された支持ブロックが設けられ、前記支持ブロックが前記連結パイプを支持している。 
【０００８】
更の技術プラン、前記駆動機構は電熱ロッドを含み、前記電熱ロッドが前記伝動チャンバの中に位置し、且つ前記旋転軸に貫通されており、前記連結ロッドの左端が前記電熱ロッドと固定的に連結され、前記電熱ロッドの下端が前記支持ブロックの右側に位置している。
【０００９】
更の技術プラン、前記昇降機構は漏斗を含み、前記伝動チャンバの左端壁には外部空間に連通した昇降溝が設けられ、前記伝動チャンバの中には左端が前記昇降溝を貫通した昇降ロッドが設けられ、前記昇降ロッドが外部空間に位置し、前記昇降ロッドの左端が前記漏斗の下端に貫通されており、前記昇降ロッドの右端には上端が前記伝動チャンバの上端壁と連結された昇降バネが二つ固定され、前記ロープの上端が前記伝動チャンバの右端壁を貫通しており、且つ前記昇降ロッドと連結されている。 
【００１０】
更の技術プラン、前記連結パイプの壁には風を流通させることができる穴が設けられている。
【００１１】
更の技術プラン、前記引っ張りバネの弾力は前記連結バネの弾力と、前記支持ブロックと前記伝動チャンバとの間の摩擦力との和より遥か大きい。 
【００１２】
更の技術プラン、前記第一摩擦輪と前記第二摩擦輪との間の摩擦力は前記圧縮バネの弾力と、前記復帰バネの弾力と、前記第二摩擦輪と前記摩擦ブロックとの間の摩擦力との和より遥か大きく、前記復帰バネの弾力は前記第二摩擦輪と前記摩擦ブロックとの間の摩擦力より遥か大きい。 
【発明の効果】
【００１３】
当該装置は構造が簡単で、操作が便利であり、装置はまず遠心力でプラスチック顆粒に付いたほとんどの水を取り除き、そしてプラスチック顆粒を排出することと同時に熱風で乾かし、持続的な電熱で行う乾燥によるエネルギー浪費を防ぎ、機械の伝動によりプラスチック顆粒の乾燥効率と乾燥の効果とを向上させた。 
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１５】
【図１】図１は本発明の構成略図
【図２】図２は本発明の旋転機構の部分断面の正面拡大構成略図
【図３】図３は本発明の駆動チャンバの全体断面の上面拡大構成略図
【図４】図４は本発明の位置制限チャンバの中のロープの全体断面の左面拡大構成略図
【発明を実施するための形態】
【００１６】
図１〜４を参照し、本発明の省エネルギー型のプラスチック顆粒快速乾燥システムは、乾燥箱１を含み、前記乾燥箱１の中には伝動チャンバ４１が設けられ、前記伝動チャンバ４１の右端壁の中には駆動チャンバ２７が設けられ、前記乾燥箱１の左側にはプラスチック顆粒を遠心力で乾燥させることができる旋転機構５９が設けられ、前記旋転機構５９は旋転ブロック５と旋転軸１１とを含み、前記旋転軸１１の右端が前記駆動チャンバ２７の中に位置し、前記旋転軸１１の左端が前記旋転ブロック５と連結され、前記駆動チャンバ２７の下側にはプラスチック顆粒に残った水分を風力で乾かす風吹き機構６１が設けられ、 
前記駆動チャンバ２７の中には装置全体に動力を提供する駆動機構５８が設けられ、前記駆動機構５８は装置を段取りに制御し作動させることができ、前記駆動機構５８はモーター２９と駆動軸３０とを含み、前記駆動軸３０が前記モーター２９と伝動できるように連結され、前記駆動軸３０には駆動ブロック２８が平キーによって連結され、前記駆動ブロック２８には第一摩擦輪３２と回転歯車３７とが固定され、前記駆動ブロック２８にはリール３３がスライドできるように連結され、前記リール３３にはロープ４０が巻き付いており、前記駆動チャンバ２７の右端壁には左端が前記第一摩擦輪３２と接触する伸縮バネ３１が固定され、前記駆動チャンバ２７の左側には電磁石３８が設けられ、前記駆動チャンバ２７の上端壁には下方に開口した位置制限チャンバ３６が設けられ、前記位置制限チャンバ３６の上端壁が前記ロープ４０の上端に貫通されており、前記位置制限チャンバ３６の左右端壁にはいずれも固定ロッド３５が固定され、前記位置制限チャンバ３６の中に位置した前記ロープ４０の中には前記ロープ４０を貫通した貫通穴３４が設けられ、前記駆動チャンバ２７の右端壁には回転軸２６が回転できるように連結され、前記回転軸２６の左端には第二摩擦輪４４と第一プーリー２５とが固定され、前記駆動チャンバ２７の下端壁には台形ブロック４７と摩擦ブロック２４とがスライドできるように連結され、前記摩擦ブロック２４が前記台形ブロック４７の斜面と当接しており、前記摩擦ブロック２４の後端には右端が前記駆動チャンバ２７の後端壁と連結された圧縮バネ５７が固定され、前記台形ブロック４７の左端には左端が伝動チャンバ４１の中に位置した連結ロッド４５が固定され、前記台形ブロック４７の左端には二つの復帰バネ４６が固定され、前記旋転軸１１の右端には前記回転歯車３７と噛み合うことができる旋転歯車４３が固定され、装置は前記旋転機構５９によりプラスチック顆粒に付いた水のほとんどを飛ばし、そして前記駆動機構５８の制御により熱風で残った水分を乾かし、乾燥速度を上げ、エネルギーを節約し、前記伝動チャンバ４１の上側には前記旋転ブロック５の中にプラスチック顆粒を加えることができる昇降機構６０が設けられている。 
【００１７】
有益に、前記旋転機構５９は前記旋転ブロック５の中に位置した旋転チャンバ１４を含み、前記旋転チャンバ１４の上下端壁の中にはいずれも外部空間に連通した排水穴１３が設けられ、前記旋転チャンバ１４の左端壁には前記電磁石３８を制御するセンサー１２が嵌設され、前記旋転チャンバ１４の上端壁の中には外部空間を連通した入れ口８が設けられ、前記旋転チャンバ１４の上端壁の中には前記入れ口８を貫通し、且つ前記旋転チャンバ１４に連通した回転チャンバ１０が設けられ、前記回転チャンバ１０の前後端壁の間には従動軸６が回転できるように連結され、前記従動軸６には前記入れ口８を閉鎖できる閉鎖板７が回転できるように連結され、前記閉鎖板７の右端には前記回転チャンバ１０の上端壁と連結された位置制限バネ９が固定され、前記旋転チャンバ１４の右端壁には外部空間に連通した出し口４９が設けられ、前記出し口４９の上下端壁の中にはいずれも前記出し口４９を連通したバネ溝５０が設けられ、前記旋転チャンバ１４の右端壁の中には右方に開口した環状チャンバ５４が設けられ、前記バネ溝５０の中には遮断板４８と前記遮断板４８を復帰させることができる連結バネ５１とが設けられ、前記遮断板４８の一端が前記出し口４９の中に位置し、前記環状チャンバ５４の中には環状ブロック５５と前記環状ブロック５５を復帰させることができる二つの引っ張りバネ５４とが設けられ、前記環状ブロック５５の右端が外部空間に位置し、前記環状ブロック５５の左端には前記バネ溝５０の片側端壁を貫通し、且つ前記遮断板４８と連結されたチェーン５３が二本固定されている。 
【００１８】
有益に、前記風吹き機構６１は通風チャンバ１９を含み、前記通風チャンバ１９の上端壁には支持板２３が固定され、前記支持板２３の下端にはファン軸２１が回転できるように連結され、前記ファン軸２１には羽根２０と第二プーリー２２とが固定され、前記第一プーリー２５と前記第二プーリー２２とがベルト６３によって連結され、前記通風チャンバ１９の下端壁の中には外部空間と前記伝動チャンバ４１とを連通した連結穴１８が設けられ、前記伝動チャンバ４１の中には前記環状ブロック５５と当接した連結パイプ１６が設けられ、前記連結パイプ１６の左端が外部空間に位置し、前記連結パイプ１６の右端が前記連結穴１８を貫通し、且つ外部空間に位置し、前記伝動チャンバ４１の左端壁には外部空間に連通した排風口１５が設けられ、前記伝動チャンバ４１の中には前記連結パイプ１６に貫通された支持ブロック１７が設けられ、前記支持ブロック１７が前記連結パイプ１６を支持している。 
【００１９】
有益に、前記駆動機構８は電熱ロッド３９を含み、前記電熱ロッド３９が前記伝動チャンバ４１の中に位置し、且つ前記旋転軸１１に貫通されており、前記連結ロッド４５の左端が前記電熱ロッド３９と固定的に連結され、前記電熱ロッド３９の下端が前記支持ブロック１７の右側に位置している。 
【００２０】
有益に、前記昇降機構６０は漏斗３を含み、前記伝動チャンバ４１の左端壁には外部空間に連通した昇降溝２が設けられ、前記伝動チャンバ４１の中には左端が前記昇降溝２を貫通した昇降ロッド４が設けられ、前記昇降ロッド４が外部空間に位置し、前記昇降ロッド４の左端が前記漏斗３の下端に貫通されており、前記昇降ロッド４の右端には上端が前記伝動チャンバ４１の上端壁と連結された昇降バネ４２が二つ固定され、前記ロープ４０の上端が前記伝動チャンバ４１の右端壁を貫通しており、且つ前記昇降ロッド４と連結されている。 
【００２１】
装置全体の機械作動順序は以下の通り： 
【００２２】
１：モーター２９が作動し駆動軸３０を回転連動させ、これによって駆動ブロック２８と、リール３３と、回転歯車３７と、第一摩擦輪３２とを回転連動させ、これによってリール３３にロープ４０を巻かせ、これによって昇降ロッド４を降下連動させ、これによって漏斗３の下端を下へ移動連動させ、漏斗３の下端が閉鎖板７を押し、これによって閉鎖板７を回転させ、位置制限バネ９が引っ張られ、この時漏斗３によって旋転チャンバ１４の中に処理待ちのプラスチック顆粒を入れ、プラスチック顆粒を充分に入れた後、モーター２９が作動し駆動軸３０を反転連動させ、これによってリール３３が反転しロープ４０を緩め、これによって昇降ロッド４が復帰し、漏斗３を復帰させ、これによって閉鎖板７が位置制限バネ９の作用により復帰し、 
２：センサー１２が旋転チャンバ１４の中のプラスチック顆粒の水分含有量を感知し、水分含有量が多い時、電磁石３８が制御され作動し回転歯車３７を右へ運動連動させ、これによって駆動ブロック２８と、リール３３と、第一摩擦輪３２とを右方へ運動連動させ、これによって回転歯車３７と旋転歯車４３とを噛合させ、同時に右側の固定ロッド３５が貫通穴３４に入りロープ４０の運動を制限し、この時モーター２９が作動し駆動軸２８を回転連動させ、これによって駆動ブロック３０と、回転歯車３７と、第一摩擦輪３２とを回転連動させ、ロープ４０が制限されているためリール３３が回転できなく、回転歯車３７が回転し旋転歯車４３を回転連動させ、これによって旋転軸１１と旋転ブロック５とを回転連動させ、これによってプラスチック顆粒の水分を飛ばし、 
３：センサー１２はプラスチック顆粒の水分含有量が少ないことを感知した時、電磁石３８を制御し作動させ、電磁石３８が回転歯車３７と引き合い、これによって回転歯車３７を連動させて左方へ運動させ、これによって駆動ブロック２８と、リール３３と、第一摩擦輪３２とを左方へ運動させ、これによって左側の固定ロッド３５を貫通穴３４の中に入れ、回転歯車３７と旋転歯車４３とが離脱し、第一摩擦輪３２と第二摩擦輪４４とが接触し伝動し、モーター２９が作動し駆動軸３０を回転連動させ、これによって第一摩擦輪３２と駆動ブロック２８とを回転連動させ、これによって第二摩擦輪４４を回転連動させ、これによって回転軸２６と第一プーリー２５とを回転連動させ、第二摩擦輪４４が回転し摩擦ブロック２４を後方へ運動連動させ、圧縮バネ５７が圧縮され、これによって台形ブロック４７が左方へ運動し、復帰バネ４６が圧縮され、これによって連結ロッド４５を左方へ運動連動させ、これによって電熱ロッド３９を左方へ運動連動させ、これによって支持ブロック１７を左方へ運動連動させ、これによって連結パイプ１６を左方へ運動させ、４：第一プーリー２５が回転しベルト６３の伝動により第二プーリー２２を回転連動させ、これによってファン軸２１を回転連動させ、これによって羽根２０を回転連動させ、風を生み、電熱ロッド３９が作動し、連結パイプ１６に吹く風を熱風に変え、 
５：連結パイプ１６が左方へ運動し、これによって環状ブロック５５が連動されて左方へ運動し、引っ張りバネ５４が圧縮され、チェーン５３の伝動により遮断板４８が駆動されて出し口４９から離れ、連結バネ５１が圧縮され、これによってプラスチック顆粒が出し口４９と連結パイプ１６とを経由して外部空間に辿り、熱風が連結パイプ１６を通り抜け、プラスチック顆粒に残った水分を乾かし、 
６：センサー１２は旋転チャンバ１４の中にプラスチック顆粒がないことを感知した時、電磁石３８を制御し作動させ、これによって回転歯車３７が復帰し、これによって回転歯車３７と、リール３３と、第一摩擦輪３２と、駆動ブロック２８とが復帰し、これによって固定ロッド３５が貫通穴３４から離れ、第一摩擦輪３２と第二摩擦輪５８とが復帰し、これによって摩擦ブロック３４が圧縮バネ５７の作用により復帰し、これによって台形ブロック４７が復帰バネ４６の作用により復帰し、これによって電熱ロッド３９を復帰させ、電熱ロッド３９が作動を止め、この時引っ張りバネ５４と連結バネ５１とが復帰し、これによって環状ブロック５５を復帰させ、遮断板４８が出し口４９を遮断し、環状ブロック５５が復帰し連結パイプ１６を駆動し右方へ運動させ復帰させ、この時装置は復帰を完了する。 
【００２３】
以上に述べたのはただ本発明の技術構想と特徴で、本分野に詳しい技術者に本発明の内容をわからせて実施させることが目的である。本発明の保護範囲はここに限らないである。全部の創造的な労働を通じなく思いついた変化と取替は本発明の保護範囲にカバーされる。